(57)【要約】【課題】コネクタハウジングに対するターミナルの保持力が大きいコネクタを提供することを目的とする。【解決手段】コネクタ１のターミナル３は、その外周面３２ｂ、３２ｄに形成された圧入部３２１においてコネクタハウジング２の圧入突部２１に圧入されている。更に、ターミナル３には、その上部が互い違いに切り起こされることによって一方が外周面３２ａ側、他方が外周面３２ｃ側より突出した２個の可撓性の係合片３２３が形成されている。一方、コネクタハウジング２の圧入突部２１には、圧入されたターミナル３の係合片３２３とそれぞれ対向するように係合突起２１２が形成されている。ターミナル３が圧入突部２１に圧入される時、係合片３２３が係合突起２１２と係合することによってターミナル３の抜け止めが行われる。【選択図】  図３
2004311044.tif 000002
【特許請求の範囲】
【請求項１】
コネクタハウジング、および相手側ターミナルと嵌合するタブ部と一体に形成され、前記コネクタハウジングに圧入される圧入部を含んだターミナルを備えたコネクタにおいて、
前記コネクタハウジングおよび前記ターミナルのうちの一方に可撓性の係合片を形成し、前記コネクタハウジングおよび前記ターミナルのうちの他方に前記係合片と係合して前記コネクタハウジングから前記ターミナルが抜けることを防止する係合部を形成したことを特徴とするコネクタ。
【請求項２】
前記ターミナルは前記コネクタハウジングと対向する４つの外周面を備え、前記外周面のうち互いに対向する２つの外周面に前記圧入部を形成するとともに、前記外周面のうち互いに対向する残りの２つの外周面に前記係合片および前記係合部のうちのいずれかを形成したことを特徴とする請求項１記載のコネクタ。
【請求項３】
前記ターミナルに前記係合片を形成し、前記コネクタハウジングに前記係合片と係合して、前記ターミナルが前記コネクタハウジングから抜けることを防止する係合突起を形成したことを特徴とする請求項２記載のコネクタ。
【請求項４】
前記ターミナルは平板状に形成されるとともに、前記係合片は前記平板状のターミナルから両方向に互い違いに切り起こして前記ターミナルに複数個形成され、前記コネクタハウジングは前記ターミナルの前記係合片が形成された前記外周面と対向する一対の対向面を含み、前記対向面にはそれぞれ前記係合片と係合して前記ターミナルが前記コネクタハウジングから抜けることを防止する前記係合突起を形成したことを特徴とする請求項３記載のコネクタ。
【請求項５】
前記コネクタハウジングに前記係合片を形成し、前記ターミナルに前記係合片と係合して、前記ターミナルが前記コネクタハウジングから抜けることを防止する係合孔を形成したことを特徴とする請求項２記載のコネクタ。
【発明の詳細な説明】
【０００１】
【発明の属する技術分野】
本発明は、コネクタハウジングに圧入されることによってコネクタハウジング内に収容されるターミナルを備えたコネクタに関する。
【０００２】
【従来の技術】
従来より、それぞれの側面に圧入方向に沿って複数個の圧入部位を形成して、その圧入部位をコネクタハウジングに圧入することによって固定するコネクタ用ターミナルがあった（例えば、特許文献１参照）。
【０００３】
【特許文献１】
特開２０００−２５１９９３公報（第７図）
【０００４】
【発明が解決しようとする課題】
一般に圧入部位を増やすことによって圧入によるターミナルのコネクタハウジングに対する保持力を増加させることができるが、ターミナルの一側面に圧入方向に沿って多数の圧入部位を形成しても、先に圧入されたターミナルの圧入部位によるハウジング側の削れによって、後に圧入される圧入部位の保持力が十分得られず、全体としてさほど保持力が向上しない。後に圧入される圧入部位の保持力を向上させるためには、その部位のターミナルの幅寸法を先に圧入される部位に比べて大きくする必要があり、一側面に圧入方向に沿ってあまりに多数の圧入部位を形成することは、ターミナルの長大化につながる。また、ハウジングの圧入部の圧入方向の寸法にも制限があるため、ターミナルの一側面に多数の圧入部位を形成することは困難をともなう。更に、ターミナルに圧入部位を増やすことによって、ターミナルの挿入力も大きくなるため、コネクタハウジングへの圧入が困難になる。
【０００５】
本発明は上記のような事情に基づいて完成されたものであって、コネクタハウジングに対するターミナルの保持力が大きいコネクタを提供することを目的とする。
【０００６】
【課題を解決するための手段】
上述した目的を達成するための手段として、請求項１の発明は、コネクタハウジング、および相手側ターミナルと嵌合するタブ部と一体に形成され、前記コネクタハウジングに圧入される圧入部を含んだターミナルを備えたコネクタにおいて、前記コネクタハウジングおよび前記ターミナルのうちの一方に可撓性の係合片を形成し、前記コネクタハウジングおよび前記ターミナルのうちの他方に前記係合片と係合して前記コネクタハウジングから前記ターミナルが抜けることを防止する係合部を形成したことを特徴とするコネクタとした。
【０００７】
請求項２の発明は、前記ターミナルは前記コネクタハウジングと対向する４つの外周面を備え、前記外周面のうち互いに対向する２つの外周面に前記圧入部を形成するとともに、前記外周面のうち互いに対向する残りの２つの外周面に前記係合片および前記係合部のうちのいずれかを形成したことを特徴とする請求項１記載のコネクタとした。
【０００８】
請求項３の発明は、前記ターミナルに前記係合片を形成し、前記コネクタハウジングに前記係合片と係合して、前記ターミナルが前記コネクタハウジングから抜けることを防止する係合突起を形成したことを特徴とする請求項２記載のコネクタとした。
【０００９】
請求項４の発明は、前記ターミナルは平板状に形成されるとともに、前記係合片は前記平板状のターミナルから両方向に互い違いに切り起こして前記ターミナルに複数個形成され、前記コネクタハウジングは前記ターミナルの前記係合片が形成された前記外周面と対向する一対の対向面を含み、前記対向面にはそれぞれ前記係合片と係合して前記ターミナルが前記コネクタハウジングから抜けることを防止する前記係合突起を形成したことを特徴とする請求項３記載のコネクタとした。
【００１０】
請求項５の発明は、前記コネクタハウジングに前記係合片を形成し、前記ターミナルに前記係合片と係合して、前記ターミナルが前記コネクタハウジングから抜けることを防止する係合孔を形成したことを特徴とする請求項２記載のコネクタとした。
【００１１】
【発明の作用及び効果】
＜請求項１の発明＞
コネクタハウジングにターミナルが圧入されるコネクタにおいて、コネクタハウジングおよびターミナルのうちの一側に可撓性の係合片を形成し、他側に係合片と係合する係合部を形成したことにより、圧入力を増やさずに、係合片と係合部との係合によってターミナルをコネクタハウジングに強固に保持できる。
【００１２】
＜請求項２の発明＞
ターミナルの互いに対向する２つの外周面に圧入部を形成するとともに、互いに対向する残りの２つの外周面に係合片および係合部のうちのいずれかを形成したことにより、ターミナル上に圧入部、係合片あるいは係合部を形成するそれぞれのスペースを十分に確保できる。
【００１３】
＜請求項３の発明＞
ターミナルに係合片を形成しコネクタハウジングに係合片と係合する係合突起を形成したことにより、係合片の強度を大きくでき、コネクタの脱着による係合片の変形、破損を防ぐことができる。
【００１４】
＜請求項４の発明＞
ターミナルを平板状に形成し、係合片を平板状のターミナルから両方向に互い違いに切り起こしてターミナルの両側面に複数個形成したことにより、ターミナルが傾くことなくコネクタハウジングに安定して強固に保持される。
【００１５】
＜請求項５の発明＞
コネクタハウジングに係合片を形成し、ターミナルに係合片と係合する係合孔を形成したことにより、係合片を形成するスペースのない小型のターミナルにも適用できる。
【００１６】
【発明の実施の形態】
＜第１実施形態＞
本発明の第１実施形態を図１乃至図５に基づいて説明する。図１乃至図３に示したように、コネクタ１は回路基板用コネクタを構成し、コネクタハウジング２中に収容された２個のターミナル３および２個の細型ターミナル４を備えている。ターミナル３はコネクタハウジング２の圧入突部２１に上方から圧入されることによって固定される。
【００１７】
コネクタハウジング２は合成樹脂材料によって一体に成形されており、電子回路基板（図示せず）に取付けられるフランジ部２２、相手側コネクタであるケーブル側コネクタ（図示せず）が嵌合するフード部２３および電子回路基板に対するコネクタハウジング２の位置を決めるための突部２４を備えている。図３において、フランジ部２２の下面に電子回路基板が取付けられる。
【００１８】
ターミナル３は金属製の平板をプレスして一体に形成されており、図４に示したように、相手側ターミナルに嵌合するタブ部３１と、タブ部３１の下方に連続して形成された基部３２と、基部３２の更に下方に枝分かれして形成され、その先端において電子回路基板に取付けられることによって、電子回路基板の回路パターンと導通する取付部３３とで構成されている。
【００１９】
基部３２は対向する２対の外周面３２ａ、３２ｃおよび３２ｂ、３２ｄとによって構成され、対向する一対の外周面３２ｂ、３２ｄにはコネクタハウジング２の圧入突部２１に圧入される圧入部３２１（合計２箇所）が形成され、圧入部３２１の上方には圧入される時に、図示しない端子圧入治具が当接して下方に押圧される２個の受部３２２が形成されている。更に、基部３２の対向する残りの一対の外周面３２ａ、３２ｃには、それぞれ上部が互い違いに切り起こされることによって、一方が外周面３２ａ側、他方が外周面３２ｃ側より突出した２個の可撓性の係合片３２３が形成されている。
【００２０】
一方、図５に示したようにコネクタハウジング２の圧入突部２１には、ターミナル３の外周面３２ａ、３２ｃとそれぞれ対向する一対の対向面２１１が形成されている。対向面２１１上には、係合片３２３と係合する係合突起２１２（本発明の係合部に該当する）がそれぞれ形成されている。それぞれの係合突起２１２は、その上部が下方に行くにつれ対向面２１１から離れる方向に傾斜した斜面２１２ａとされており、また、下部は水平に切り立った端面２１２ｂとされている。
【００２１】
図５において、ターミナル３が上方から圧入突部２１に圧入される時、２個の係合片３２３は係合突起２１２の斜面２１２ａに乗り上げることによって、図において互いに内側に撓む。係合片３２３が斜面２１２ａを通過後、再び拡開して係合突起２１２の端面２１２ｂと係合することによってターミナル３の抜け止めが行われる。
【００２２】
上述した第１実施形態によれば、ターミナル３に可撓性の係合片３２３を形成し、コネクタハウジング２に係合片３２３と係合する係合突起２１２を形成したことにより、圧入力を増やさなくても、係合片３２３と係合突起２１２との係合によってターミナル３がコネクタハウジング２に強固に保持される。また、ターミナル３の互いに対向する２つの外周面３２ｂ、３２ｄに圧入部３２１を形成するとともに、互いに対向する残りの２つの外周面３２ａ、３２ｃに係合片３２３を形成したことにより、それぞれのスペースを十分に確保できる。
【００２３】
また、金属にて形成されたターミナル３に係合片３２３を形成したことにより、係合片３２３の強度を大きくでき、コネクタ１の相手側コネクタとの脱着による係合片３２３の変形、破損を防ぐことができる。更に、ターミナル３を両方向に切り起こして係合片３２３をターミナル３の両側面に１個づつ形成したことにより、ターミナル３がコネクタハウジング２に収容された時、ターミナル３が傾くことがなく安定して強固に保持される。
【００２４】
＜第２実施形態＞
次に、本発明の第２実施形態を図６乃至図８に基づいて説明する。本実施形態によるコネクタ５は、コネクタハウジング６中に収容された２個のターミナル７および２個の細型ターミナル４を備えている。コネクタハウジング６は第１実施形態と同様に、フランジ部６２、フード部６３および突部６４を備えている。
【００２５】
ターミナル７も第１実施形態と同様に、タブ部７１、基部７２、取付部７３とで構成されている。基部７２の対向する一対の外周面７２ａ、７２ｃの中央部には後述するコネクタハウジング６の圧入突部６１に形成された係合突部６１４と係合する矩形状の係合孔７２２（本発明の係合部に該当する）が形成されている。尚、本実施形態によるターミナル７の対向する残りの外周面７２ｂ、７２ｄにも第１実施形態と同様に、コネクタハウジング６に対して圧入される圧入部７２１を備えている。
【００２６】
図７および図８に示したように、コネクタハウジング６の圧入突部６１には、圧入されたターミナル７の一対の外周面７２ａ、７２ｃとそれぞれ対向する一対の対向面６１１が形成されている。対向面６１１の一側には両側にスリット６１２が形成された可撓性の係合片６１３が形成されており、係合片６１３のターミナル７側には係合相手の係合孔７２２の形状に合わせて断面が矩形状の係合突部６１４が形成されている。
【００２７】
図８に示されたように、ターミナル７をコネクタハウジング６に圧入する時に、ターミナル７の取付部７３の先端に乗り上げることによって係合片６１３が撓むように、係合突部６１４の上部は下方に行くにつれ係合片６１３から離れる方向に傾斜した斜面６１４ａとされており、また、下部はターミナル７がコネクタハウジング６に収容された後は、係合突部６１４が係合孔７２２から外れないように水平に切り立った端面６１４ｂとされている。
【００２８】
図８において、ターミナル７は上方から圧入突部６１に圧入されて、ターミナル７によって係合片６１３が図において左方に撓まされた後、再び復帰して、係合片６１３に形成された係合突部６１４の端面６１４ｂが係合孔７２２と係合することによって、ターミナル７の抜け止めが行われる。
【００２９】
上述した第２実施形態によれば、コネクタハウジング６に可撓性の係合片６１３を形成し、ターミナル７に係合片６１３に形成された係合突部６１４と係合する係合孔７２２を形成したことにより、係合突部６１４と係合孔７２２との係合によってターミナル７がコネクタハウジング６に強固に保持される。また、コネクタハウジング６に係合片６１３を形成したことにより、係合片６１３を形成するスペースのない小型のターミナルにも適用できる。
【００３０】
＜他の実施形態＞
本発明は上述した記載および図面によって説明した実施形態に限定されるものではなく、例えば次のような実施形態も本発明の技術的範囲に含まれ、さらに、以下のもの以外にも要旨を逸脱しない範囲内で種々変更して実施することができる。
（１）係合片は必ずしもコネクタハウジングおよびターミナルのうちの一方に形成しなければならないわけではなく、コネクタハウジングおよびターミナルの双方に係合片を形成し、コネクタハウジングおよびターミナルの双方に相手側の係合片と係合する係合部を形成してもよい。
（２）コネクタハウジングあるいはターミナルに形成する係合片は３個以上にしてもよい。
【図面の簡単な説明】
【図１】本発明の実施形態によるターミナルを使用したコネクタの平面図である。
【図２】図１のコネクタの背面図である。
【図３】第１実施形態によるコネクタを示す図２のＡ−Ａ断面図である。
【図４】第１実施形態によるターミナルの斜視図である。
【図５】図３に示したターミナルの側方断面図である。
【図６】第２実施形態によるコネクタを示す図２のＡ−Ａ断面図である。
【図７】第２実施形態によるコネクタハウジングの圧入突部を示した斜視図である。
【図８】図６に示したターミナルの側方断面図である。
【符号の説明】
１…コネクタ
２…コネクタハウジング
２１１…対向面
２１２…係合突起
３…ターミナル
３１…タブ部
３２ａ、３２ｂ、３２ｃ、３２ｄ…外周面
３２１…圧入部
３２３…係合片
５…コネクタ
６…コネクタハウジング
６１３…係合片
６１４…係合突部
７…ターミナル
７１…タブ部
７２ａ、７２ｂ、７２ｃ、７２ｄ…外周面
７２１…圧入部
７２２…係合孔
【図１】
2004311044.tif 000003
【図２】
2004311044.tif 000004
【図３】
2004311044.tif 000005
【図４】
2004311044.tif 000006
【図５】
2004311044.tif 000007
【図６】
2004311044.tif 000008
【図７】
2004311044.tif 000009
【図８】
2004311044.tif 000010